(57)【要約】【課題】職場環境を損なうことなく必要なときはいつでも簡単便利に使用可能な足裏を指圧する構造を備えた椅子及び足裏指圧具を提供する。【解決手段】複数の脚アーム２０を放射状に配置したキャスタ付き脚１８を有する椅子１０につき、脚１８のアーム先端上部に足裏指圧具２６を装着する。足裏指圧具２６は、上部先端に足裏を押し付ける球部を備えた本体部と、本体部の下側に設けられたキャスタ付き脚に固定する脚固定部とを一体に備える。【選択図】          図１
2004180809.tif 000002
【特許請求の範囲】
【請求項１】
複数のアームを放射状に配置したキャスタ付き脚のアーム先端上部に足裏指圧具を装着したことを特徴とする椅子。
【請求項２】
請求項１記載の椅子に於いて、前記キャスタ付き脚における複数のアームの内の少なくとも１つに前記足裏指圧具を装着したことを特徴とする椅子。
【請求項３】
請求項１記載の椅子に於いて、前記キャスタ付き脚における複数のアームの内の少なくとも２つに同一形状の前記足裏指圧具を装着したことを特徴とする椅子。
【請求項４】
請求項１記載の椅子に於いて、前記キャスタ付き脚における複数のアームの内の少なくとも２つに異なる形状の前記足裏指圧具を装着したことを特徴とする椅子。
【請求項５】
請求項４記載の椅子に於いて、前記異なる形状の前記足裏指圧具は、足裏を押し付ける先端球部の曲率が異なることを特徴とする椅子。
【請求項６】
請求項４記載の椅子に於いて、前記異なる形状の前記足裏指圧具は、足裏を押し付ける先端球部の高さが異なることを特徴とする椅子。
【請求項７】
請求項１記載の椅子に於いて、前記キャスタ付き脚のアーム先端上部に足裏指圧具をねじ込み、ナット止め、リベット止め又は溶接により固着したことを特徴とする椅子。
【請求項８】
請求項１記載の椅子に於いて、前記キャスタ付き脚のアーム先端上部に足裏指圧具をバンドにより固定したことを特徴とする椅子。
【請求項９】
請求項１記載の椅子に於いて、前記キャスタ付き脚のアーム先端上部に足裏指圧具を一体に形成したことを特徴とする椅子。
【請求項１０】
請求項１記載の椅子に於いて、前記キャスタ付き脚に装着する脚カバーにおけるアーム先端上部に前記足裏指圧具を一体に形成したことを特徴とする椅子。
【請求項１１】
請求項１記載の椅子に於いて、前記足裏指圧具は、上部先端に足裏を押し付ける球部を備えた本体部と、前記本体部の下側に設けられた前記キャスタ付き脚に固定する固定部とを一体に備えたことを特徴とする椅子。
【請求項１２】
請求項１記載の椅子に於いて、前記足裏指圧具は、上部先端に足裏を押し付ける球部を備えた本体部と、上側に前記本体部を着脱自在に装着する本体装着部を形成すると共に下側に前記キャスタ付き脚に固定する脚固定部を形成した固定部とから構成されたことを特徴とする椅子。
【請求項１３】
請求項１１又は１２記載の椅子に於いて、前記本体部の形状は、半球体、先端を球部とした円錐体、又は球体であることを特徴とする椅子。
【請求項１４】
請求項１記載の椅子に於いて、前記足裏指圧具は、上部先端に足裏を押し付ける球形本体部と、上側に前記球形本体部を回転自在に装着する軸受部を形成すると共に下側に前記キャスタ付き脚に固定する脚固定部を形成した固定部とから構成されたことを特徴とする椅子。
【請求項１５】
請求項１記載の椅子に於いて、前記足裏指圧具は、上部先端に足裏を押し当てる球部を備えた本体部と、前記本体部をスプリングを介して押し込み自在に支持すると共に前記キャスタ付き脚に固定する固定部とを備えたことを特徴とする椅子。
【請求項１６】
請求項１記載の椅子に於いて、前記足裏指圧具は、加熱構造を内蔵したことを特徴とする椅子。
【請求項１７】
上部先端に足裏を押し当てる球部を備えた本体部と、複数のアームを放射状に配置したキャスタ付き脚のアーム先端上部に前記本体部を固定する脚固定部とを備えたことを特徴とする足裏指圧具。
【請求項１８】
請求項１７記載の足裏指圧具に於いて、前記本体部の形状は、半球体、先端を球部とした円錐体、又は球体であることを特徴とする足裏指圧具。
【発明の詳細な説明】
【０００１】
【発明の属する技術分野】
本発明は、足裏を指圧する構造を備えた椅子及び足裏指圧具に関する。
【０００２】
【従来の技術】
従来、会社などでの事務作業による肩こりや足の浮腫みなどには、足裏を指圧することが疲労回復の方法としてある程度の効果が期待されており、このため足裏を指圧するため健康サンダルなどの各種の足裏指圧具が考えられ、実用化されている。
【０００３】
【特許文献１】
特開平１０−０９９４０５号公報
【特許文献２】
特開２００１−１１２８４５号公報
【０００４】
【発明が解決しようとする課題】
しかしながら、従来の足裏指圧具は、それ自体が独立した商品であり、利用者が個人的に購入して職場などで利用することが普通であり、そのため継続的に利用可能とはいえず、結局は一時しのぎの趣味的な使い方しかできないという問題がある。
【０００５】
また職場といった場所で個人的なものである足裏指圧具といったものを使用すること自体が、職場環境の面で必ずしも歓迎されず、この点でも継続的な活用は困難な状況にある。
【０００６】
本発明は、職場環境を損なうことなく必要なときはいつでも簡単に使用可能な足裏を指圧する構造を備えた椅子及び足裏指圧具を提供することを目的とする。
【０００７】
【課題を解決するための手段】
この目的を達成するため本発明は次のように構成する。
【０００８】
本発明の椅子は、複数のアームを放射状に配置したキャスタ付き脚のアーム先端上部に足裏指圧具を装着したことを特徴とする。
【０００９】
このため仕事中であっても、肩こりや足の浮腫みを感じた場合には、自分の座っている椅子の脚に装着されている足裏指圧具に足裏を乗せるだけで、簡単に足裏を指圧することができる。
【００１０】
このとき椅子の脚先端のキャスタの上の部分に足裏指圧具が装着されているため、ここに足を乗せると、太ももの座席に当たっていた部分が浮き上がり、これによって足の重みが自然に足裏指圧具に対する押し当て力として加わり、意識して足裏を足裏指圧具に押し付ける必要がなく、理想に近い指圧状態が得られる。このため利用者は、足裏の所謂ツボに関する簡単な知識があれば、適切な足裏の位置を足裏指圧具に載せることで、十分な指圧効果が期待できる。
【００１１】
また足裏指圧具は例えばゴルフボールやピンポン玉程度の大きさの半球体であり、椅子の脚部に装着していても、椅子のデザインや機能を損なうことはなく、また一見して足裏指圧具のイメージはないことから、職場環境を損なうこともないといえる。
【００１２】
本発明の椅子にあっては、キャスタ付き脚における複数のアームの内の少なくとも１つに足裏指圧具を装着する。一般に事務用として使用されている椅子のキャスタ付き脚の放射状アームの本数は４本又は５本が主流であり、本発明にあっては、最小限、そのうちの１本に足裏指圧具を装着すれば良い。
【００１３】
また両足を同時に指圧することが最も一般的であることから、最も望ましい態様としては、隣接する脚アームに１つずつ合計２個の足裏指圧具を装着する。勿論、脚アームの回転する位置にかかわらず指圧したい場合には、全ての脚アームに足裏指圧具を装着しても良い。
【００１４】
本発明の椅子にあっては、キャスタ付き脚における複数のアームの内の少なくとも２つに同一形状の足裏指圧具を装着する。これが最も一般的な使い方である。
【００１５】
これに対し本発明は、キャスタ付き脚における複数のアームの内の少なくとも２つに異なる形状の足裏指圧具を装着するようにしても良い。ここで異なる形状の足裏指圧具は、足裏を押し付ける先端球部の曲率が異なる。
【００１６】
即ち、本発明の椅子に装着する足裏指圧具は、先端球部の曲率を大きくして緩やかな曲面とすることで、足を乗せたときに指圧力を弱くする所謂ソフトタイプと、先端球部の曲率を小さくした曲面とすることで、足を乗せたときに指圧力を強くする所謂ハードタイプとを準備し、この種類の異なる足裏指圧具を椅子の脚に装着しておくことで、その時の状況に合わせてソフトタイプかハードタイプかの足裏指圧具の使い分けができる。
【００１７】
また異なる形状の足裏指圧具としては、足裏を押し付ける先端球部の高さが異なるようにしてよい。例えば先端球部の曲率が大きいソフトタイプの足裏指圧具であっても、脚アームから飛び出した高さが高いほど指圧力が強くなくため、高さの異なる複数の足裏指圧具を脚アームに個別に装着しておくことで、その時の状況に合わせてソフトタイプかハードタイプかの指圧の強さの使い分けができる。
【００１８】
本発明の椅子にあっては、キャスタ付き脚のアーム先端上部に足裏指圧具をねじ込み、ナット止め、リベット止め又は溶接により固着する。最も簡単な固定方法は、脚アームにドリルで穴をあけてタップでねじを切り、このねじ穴に足裏指圧具に一体に形成しているボルト部をねじ込み固定する。これにより既に職場で使用中の椅子であっても、現場での簡単な作業で足裏指圧具を装着して本発明の椅子を実施することができる。
【００１９】
本発明の椅子にあっては、キャスタ付き脚のアーム先端上部に足裏指圧具をバンドにより固定してもよい。このバンド固定タイプは、取り付けが簡単であり、職場や家庭などで利用者ができる。
【００２０】
また本発明にあっては、キャスタ付き脚のアーム先端上部に足裏指圧具を一体に形成しても良い。これは椅子の製造メーカーが本発明を実施する場合の形態である。またキャスタ付き脚に装着する脚カバーにおけるアーム先端上部に足裏指圧具を一体に形成してもよい。これも製造メーカーが本発明を実施する場合の形態である。
【００２１】
本発明の椅子に装着する足裏指圧具は、上部先端に足裏を押し付ける球部を備えた本体部と、本体部の下側に設けられたキャスタ付き脚に固定する固定部とを一体に備える。
【００２２】
また本発明の椅子に装着する足裏指圧具は、上部先端に足裏を押し付ける球部を備えた本体部と、上側に本体部を着脱自在に装着する本体装着部を形成すると共に下側にキャスタ付き脚に固定する脚固定部を形成した固定部とから構成された特徴とする。
【００２３】
このように本体部が固定部に対し着脱自在な構造であることから、例えば本体部としてソフトタイプとハードタイプを準備しておき、利用者が必要に応じて交換することができる。
【００２４】
本発明の椅子に装着する足裏指圧具における本体部の形状は、半球体、先端を球部とした円錐体、又は球体である。
【００２５】
本発明の椅子に装着する足裏指圧具は、上部先端に足裏を押し付ける球形本体部と、上側に球形本体部をキャスタ付き脚に回転自在に装着する軸受部を形成すると共に下側にキャスタ付き脚に固定する脚固定部を形成した固定部とから構成されたことを特徴とする。このため足裏指圧具の回転自在な球状本体に足を押し当てながら前後に動かすような指圧ができ、更なる指圧効果が期待できる。
【００２６】
本発明の椅子に装着する足裏指圧具は、上部先端に足裏を押し当てる球部を備えた本体部と、本体部をスプリングを介して押し込み自在に支持すると共にキャスタ付き脚に固定する脚固定部とを備えたことを特徴とする。このためスプリングによる弾発力を利用した足裏の指圧ができる。
【００２７】
本発明の椅子に装着する足裏指圧具は、加熱構造を内蔵したことを特徴とする。このため冬場なでも冷たさが無く、また温熱効果を含めた足裏指圧ができる。
【００２８】
本発明は、事務用の椅子に装着して使用される足裏指圧具そのものを提供する。この足裏指圧具は、上部先端に足裏を押し当てる球部を備えた本体部と、複数のアームを放射状に配置したキャスタ付き脚のアーム先端上部に本体部を固定する固定部とを備えたことを特徴とする。ここで足裏指圧具における本体部の形状は、半球体、先端を球部とした円錐体、又は球体である。尚、本発明による足裏指圧具の詳細は、これを装着した椅子の場合と基本的に同じになる。
【００２９】
【発明の実施の形態】
図１は事務用の椅子を例にとって本発明の実施形態を示した説明図である。図１において、椅子１０は、座席１２の後部にバックレスト１４を備え、座席１２の下部に伸縮調整自在な支柱１６を介して脚１８を設けている。脚１８は、この実施形態にあっては、放射状に５本の脚アーム２０を配置しており、脚アーム２０の先端下部にはキャスタ２４が装着されている。
【００３０】
このような事務用の椅子１０に対し本発明にあっては、脚１８における隣接する２本の脚アーム２０のアーム先端上部に足裏指圧具２６を装着している。
【００３１】
足裏指圧具２６は、例えば図２（Ａ）に示す足裏指圧具２６Ａと同じものを装着している。即ち図２（Ａ）の足裏指圧具２６Ａは、円筒状の本体部３４ａの上部に先端球部３６ａを一体に形成しており、本体部３４ａの下部には固定部として、この実施形態では固定ねじ３８ａを一体に形成している。
【００３２】
先端球部３６ａは図１のように、椅子１０の脚アーム２０の先端上部に装着された状態で椅子１０に座っている利用者の足裏の押し当てを受けるもので、先端球部３６ａの曲率としては、この例では例えば１８Ｒのものを使用している。
【００３３】
図２（Ｂ）（Ｃ）は図１の椅子１０に装着可能な他の実施形態とＣは、図２（Ａ）の足裏指圧具２６Ａに対し本体部３４ｂ，３４ｃの高さが低くなっている。一方、先端球部３６ｂ，３６ｃについては、先端球部３６ａとほぼ同じ曲率のものとしている。
【００３４】
この図２（Ａ）〜（Ｃ）に示す高さの異なる３種類の足裏指圧具２６Ａ，２６Ｂ，２６Ｃは、高い順に、足裏を押し当てたときの指圧力が強く加わることになる。また足裏指圧具２６Ａ，２６Ｂ，２６Ｂは例えば金属の切削加工でつくられており、必要に応じて表面に防錆処理や塗装処理を施している。
【００３５】
図３は図１の足裏指圧具２６を装着した椅子１０を用いて利用者が足の裏を指圧している状態の説明図である。図３において、利用者２８は、椅子１０に座った状態で例えば片方の足３２を脚１８の脚アームの先端上部に装着している足裏指圧具２６に指圧するために乗せる。
【００３６】
このように足３２を足裏指圧具２６に乗せると、これによって利用者２８の膝から太ももにかけての下側が座席１２から浮き上がって隙間３０ができる。このように隙間３０が形成されることで、太ももから足先の部分の体重が自然に足裏指圧具２６に加わることとなり、利用者２８は足裏指圧具２６に足３２を乗せることで、特に足に力を加えて押し付けるようなことをすることなく、この自然な状態で足裏に足裏指圧具２６による指圧力を受けることができる。
【００３７】
このため利用者２８は、足の裏の指圧が必要となる部位いわゆるツボについて簡単な知識があれば、足裏指圧具２６に足３２の裏側の位置をうまく合わせることで、いわゆるツボを適切に指圧している状態を作り出すことが簡単にできる。
【００３８】
なお図３にあっては、利用者２８は片方の足３２を足裏指圧具２６に載せた場合を例にとっているが、脚１８側には足裏指圧具２６が２つ設けられていることから、それぞれに足を乗せることで両足を同時に指圧するようにしてもよい。
【００３９】
図４は図１の実施形態とは異なる別の形状の足裏指圧具を装着した本発明による椅子の他の実施形態の説明図である。図４において、椅子１０は座席１２、バックレスト１４を備え、座席１２の下部に支柱１６を介して回転自在に設けた脚１８における５本の放射状の脚アーム２０のうちの隣接する２本に、別の形状を持った足裏指圧具４０を装着している。
【００４０】
この足裏指圧具４０は、図５（Ａ）に示す足裏指圧具４０Ａと同じものを使用している。この足裏指圧具４０Ａは、円錐体で構成された本体部４２ａの先端に、図２（Ａ）の足裏指圧具２６Ａに比べると曲率の小さい先端球部４４ａを形成している。先端球部４４ａの曲率としては例えば６Ｒとしている。本体部４２ａの下部には、フランジ４５ａを介して固定ねじ４６ａが一体に形成されている。
【００４１】
この図５（Ａ）の足裏指圧具４０Ａは、先端球部４４ａの曲率が例えば６Ｒと小さいため、図２（Ａ）の先端球部３６ａの曲率が例えば１８Ｒと大きい足裏指圧具２６Ａと比べると、利用者が足裏指圧具４０Ａに足を乗せたときの先端球部４４ａへの足裏の押し当てで加わる指圧力がより強くなる。
【００４２】
このため、図２（Ａ）に示すような先端球部３６ａの曲率が大きな足裏指圧具２６Ａを指圧力が低いことからいわゆるソフトタイプということができ、これに対し図５（Ａ）のような先端球部４４ａの曲率が小さいことで強い指圧力が加わるものをいわゆるハードタイプの足裏指圧具ということができる。
【００４３】
図５（Ｂ）（Ｃ）は、図５（Ａ）のハードタイプの足裏指圧具４０Ａに対し、その高さを順次低くしたものである。即ち足裏指圧具４０Ｂ，４０Ｃにおける先端球部４４ｂ，４４ｃの曲率は、図５（Ａ）の足裏指圧具４０Ａにおける先端球部４４ａの曲率とほぼ同じ６Ｒであるが、本体部４２ｂ，４２ｃが本体部４２ａに比べ高さを低くしている。なお、フランジ４５ｂ，４５ｃ及び固定ねじ４６ｂ，４６ｃは、図５（Ａ）のフランジ４５ａ及び固定ねじ４６ａと同じである。
【００４４】
このように図５（Ａ）〜（Ｃ）のハードタイプについて、本体部の高さを足裏指圧具４０Ａ，４０Ｂ，４０Ｃのように順次低くした場合、高いほど指圧力が高く、低いほど指圧力が弱くなり、同じハードタイプであっても、本体部の高さによって指圧力の強さが異なるようにしている。
【００４５】
このため本発明にあっては、図２に示した３種類のソフトタイプの足裏指圧具２６Ａ〜２６Ｃと図５に示したハードタイプの足裏指圧具４０Ａ〜４０Ｃの中から利用者が必要なタイプを任意に選択して、図１または図４の椅子１０に示すように脚１８に装着すればよい。
【００４６】
図６は本発明の他の実施形態であり、この実施形態にあっては椅子１０の脚１８に設けている５本の脚アーム２０の全てに例えば図２（Ａ）と同じソフトタイプの足裏指圧具２６を装着したことを特徴とする。
【００４７】
このように脚１８における脚アーム２０の全てに足裏指圧具２６を設けていれば、座席１２の正面に対し脚１８の脚アーム２０がどのような回転位置にあったとしても、座席１２の前方側に位置する脚アーム２０に装着している足裏指圧具２６に足を乗せればよく、図１，図４の場合における足裏指圧具２６，４０を装着している脚アーム２０を座席１２の前側に足裏指圧のために回して位置合せする必要がない分、取り扱いが便利である。
【００４８】
図７は本発明の他の実施形態であり、この実施形態にあっては、椅子１０における脚１８の５本の脚アーム２０のうちの１つに足裏指圧具２６を装着したことを特徴とする。
【００４９】
このように１本の脚アーム２０のみに足裏指圧具２６を設けることで、必要最小限の足裏の指圧ができる。特に、仕事をしながら足の裏を指圧する場合には、図１，図４のように足裏指圧具２６，４０を２箇所に設けていたとしても、仕事中に両足を乗せるような姿勢は通常とることはなく、片足であれば仕事中の姿勢として無理なく足裏指圧具に足を乗せた姿勢をとることができる。
【００５０】
したがって、仕事中における足裏指圧具の利用としては片足を乗せることが通常であると予想され、したがって図７のように１つの足裏指圧具２６のみを設けているだけで十分な足裏の指圧を行うことができる。
【００５１】
図８は本発明の他の実施形態であり、この実施形態にあっては図２（Ａ）（Ｂ）（Ｃ）に示した高さの異なる３種類のソフトタイプの足裏指圧具２６Ａ，２６Ｂ，２６Ｃを脚１８における３本の脚アーム２０の先端上部に装着したことを特徴とする。
【００５２】
このように３種類の足裏指圧具２６Ａ〜２６Ｃが装着されていることで、利用者は肩こりや脚のむくみの度合いに応じ、強く指圧したい場合には強い指圧力が得られる高い方の足裏指圧具２６Ａを選んで足を乗せ、肩こりや脚のむくみなどがそれほどでもないときは高さの低い足裏指圧具２６Ｂや２６Ｃを選んで足を乗せればよく、利用者において足の裏に加わる指圧の強さは自由に選ぶことができる。
【００５３】
図９は本発明の他の実施形態であり、この実施形態にあっては形状の異なる足裏指圧具を装着したことを特徴とする。図９において、椅子１０の脚１８における隣り合う脚アーム２０の先端上部には、一方に図２に示すと同じいわゆるソフトタイプの足裏指圧具２６を装着し、他方には図５と同じハードタイプの足裏指圧具４０を装着している。
【００５４】
この場合にも、利用者が軽い指圧をしたい場合にはソフトタイプの足裏指圧具２６に足を乗せ、強く指圧したい場合にはハードタイプの足裏指圧具４０に足を乗せればよく、必要に応じて指圧力を選択することが簡単にできる。
【００５５】
図１０は図１の実施形態における脚アーム２０に対する足裏指圧具２６の固定構造の実施形態である。図１０（Ａ）は本体部３４の下部に固定ねじ３８を一体に形成した足裏指圧具２６の固定構造であり、金属製の脚アーム２０にドリルにより穴を開けた後に、タップ下降によりねじ穴４８を形成し、このねじ穴４８に固定ねじ３８を回し込んで締付け固定している。
【００５６】
図１０（Ｂ）は、脚アーム２０にドリルにより通し穴５０を開け、そこに足裏指圧具２６の固定ねじ３８を通し、裏側からナット５２を装着して締付け固定している。
【００５７】
図１０（Ｃ）は、脚アーム２０の通し穴５０に本体部３４の下部に形成した固定軸を通し、先端をカシメたカシメ部５４として固定している。更に図１０（Ｄ）は、脚アーム２０の通し穴５０に本体部３４の下部の固定軸５６を通し、内側で溶接して溶接部５８を形成することにより固定している。これ以外にも、適宜の固定構造により足裏指圧具２６を脚アーム２０に取り付けるものを含む。
【００５８】
ここで図１０（Ａ）〜（Ｄ）の固定構造のうち、図１０（Ａ）（Ｂ）が既に使用中の椅子に対し後から足裏指圧具２６を装着する場合に適しており、図１０（Ｃ）（Ｄ）は椅子の製造段階における固定構造といえる。
【００５９】
特に、本発明による椅子に足裏指圧具を装着する構造については、既に職場で使用されている椅子に後付けとして足裏指圧具を装着して実施する形態が、本発明の実施の態様としてはかなりの部分を占めることになる。このため図１０（Ａ）のような脚アームにドリルで穴を開けてタップでねじ穴を形成した後に固定ねじ３８により足裏指圧具２６を装着する構造が、後付けによる実施にあっては最も望ましい固定構造と言うことができる。
【００６０】
図１１は本発明における足裏指圧具の椅子に対する固定構造の他の実施形態である。この実施形態にあっては、脚１８における脚アーム２０の先端上部にバンド６０によって足裏指圧具２６を固定するようにしたことを特徴とする。
【００６１】
バンド６０による固定構造としては、バンドの締付けや固定に利用されている適宜の着脱自在な構造が適用できる。また、バンド６０として伸縮性のある強力なゴムバンドを使用してもよい。このようなバンド６０を用いた足裏指圧具２６の装着は、家庭の書斎や勉強机などに利用している椅子について、利用者が利用者自身で簡単に椅子に装着する場合に適している。
【００６２】
図１２は本発明の他の実施形態であり、この実施形態にあっては椅子の脚アーム２０の先端に足裏指圧具６２を一体に形成したことを特徴とする。椅子の脚アーム２０は金属材料のプレス加工あるいは押出し加工により成形されていることから、この脚アーム２０の成形の際に先端上部に図２もしくは図５における本体部と同じ形状を一体成形することで足裏指圧具６２を形成している。このような脚アーム２０に足裏指圧具６２が一体形成されることで、椅子１０の製造段階で足裏指圧具を最初から備えることができる。
【００６３】
図１３は本発明の他の実施形態であり、脚カバーに足裏指圧具を一体に形成するようにしたことを特徴とする。図１３において、椅子によっては脚アーム２０が金属材料で作られ、そこに合成樹脂製の脚カバー６４を装着している構造のものがある。この場合には、合成樹脂製の脚カバー６４における先端上部に足裏指圧具６６を一体に形成すればよい。
【００６４】
図１４は本発明の椅子に装着する足裏指圧具の他の実施形態であり、この実施形態にあっては、足の裏を押し当てる部分を合成樹脂製としたことを特徴とする。
【００６５】
図１４（Ａ）の足裏指圧具２６は、本体部６８については全て合成樹脂製とし、本体部６８を樹脂成形する際に固定ねじ７０の上部を埋め込む複合成形としている。図１４（Ｂ）は、本体部７２及び固定ねじ７４は金属製であり、本体部７２の外側に合成樹脂のコーティング層７６を形成している。
【００６６】
このように足の裏を押し当てる本体部が合成樹脂となっている足裏指圧具にあっては、全て金属製とした場合に比べ素足を当てたような場合に冷たさが感じられず、その分、使い易さが向上する。
【００６７】
図１５は本発明の椅子に装着する足裏指圧具の他の実施形態であり、この実施形態にあっては、固定部に対し本体部側を着脱自在としたことを特徴とする。
【００６８】
図１５において、固定部８６側はフランジ８８の上部に本体取付ねじ９０を下側に固定ねじ９２を一体に形成している。これに対し本体部側は、例えば本体部７８のように別部材として作られ、取付ねじ穴８２を下部に設けており、本体取付ねじ９２に対しねじ込みにより着脱自在としている。
【００６９】
このような固定部８６に対しては、例えば先端部の曲率の大きいソフトタイプの本体部７８と先端部の曲率の小さなハードタイプの本体部８０を２種類準備しておき、固定部８６は椅子の脚アーム側にねじ込み固定し、これに対し利用者は２種類の本体部７８，８０のうち必要な方を選択して、取付ねじ穴８２，８４により固定部８６側の本体取付ねじ９０にねじ込み固定し、ハードタイプとソフトタイプを椅子に対し付け替えながら足裏の指圧を行うことができる。
【００７０】
図１６は本発明の椅子に装着する足裏指圧具の他の実施形態であり、この実施形態は球形本体部を備えたことを特徴とする。
【００７１】
図１６（Ａ）は球形本体部９６ａと固定ねじ９８ａから構成された足裏指圧具９４ａであり、その半径は例えば図２（Ａ）のソフトタイプの足裏指圧具２６ａと同じ１８ｍｍ程度としており、ソフトタイプとほぼ同等の指圧力を得ることができる。図１６（Ｂ）の足裏指圧具９４Ｂは、球形本体部９６ｂの大きさを図１６（Ａ）の球形本体部９６ａに対し小さくしたものであり、半径が小さいことから指圧力を強めることができる。
【００７２】
図１７は本発明の椅子に装着する足裏指圧具の他の実施形態であり、この実施形態にあっては球形本体部を回転自在としたことを特徴とする。
【００７３】
図１７において、足裏指圧具１００は、ほぼ円筒状の固定部１０４の下部に固定ねじ１０８を一体に形成すると共に、上部に開口した球状軸受部１０５を形成しており、この球状軸受部１０５の中に球形本体部１０２を回転自在なクリアランスが得られるように嵌め入れており、球状軸受部１０５の上部開口部は内側に絞り込まれて抜け止１０６を形成している。
【００７４】
この足裏指圧具１００にあっては、椅子の脚アーム先端上部に装着した状態で足裏を球形本体部１０２に当て、足を動かすことで球形本体部１０２を回転させながら足裏を指圧することができ、球形本体部１０２の回転に伴う指圧力により、より効果的な指圧が可能となる。
【００７５】
図１８は本発明の椅子に装着する足裏指圧具の他の実施形態であり、この実施形態にあっては本体部をスプリングの力により弾発的に押し込み自在としたことを特徴とする。
【００７６】
図１８において固定部１１４は、下部に固定ねじ１１６を一体に形成すると共に、上部に開口した円筒部内に摺動室１１４ａを形成し、その中に先端部を球形とした本体部１１２の底部のフランジ状の摺動部１１２ａを摺動自在に嵌めており、本体部１１２と摺動室１１４ａの底部との間にはスプリング１１８が組み込まれ、更に固定部１１４の上部には抜け止め１１５がねじ込み固定されている。
【００７７】
この構造を持つ足裏指圧具１１０にあっては、椅子に装着して足を本体部１１２に乗せた状態で加わる力により、スプリング１１８に抗して本体部１１２が固定部１１４に対し押し込まれ、これにより本体部１１２に乗せた足に加える力を加減することによってスプリング１１８に抗して本体部１１２を出没させることで、足裏に加わる指圧力を変化させて、より効果的な指圧を行うことができる。
【００７８】
図１９は本発明の椅子に装着する足裏指圧具の他の実施形態であり、この実施形態にあっては加熱部を内蔵させたことを特徴とする。
【００７９】
図１９において、足裏指圧具１１８は、合成樹脂製の本体部１２０に固定ねじ１２２を複合成形により埋め込み固定しており、本体部１２０の内部にオイル室１２４を形成している。このオイル室１２４には、ヒータ１２６が組み込まれた状態で絶縁オイルが充填されている。
【００８０】
オイル室１２４は絶縁シール１２８により封止されており、絶縁シール１２８を通ってヒータ１２６からの信号線が引き出され、これにコネクタ１３０により外部の信号線１３８を接続できる。信号線１３８はコントロールボックス１３２に接続されている。
【００８１】
コントロールボックス１３２には電池１３６及びスイッチ１３４が設けられており、スイッチ１３４を閉じることで電池１３６よりオイル室１２４のヒータ１２６に電流が流れ、絶縁オイルを加熱することで、本体部１２０を加温することができる。
【００８２】
オイル室１２４に組み込んでいるヒータ１２６は、ごく微弱な発熱量、例えば豆電球程度のワット数の発熱量でよく、このため電池１３６から流れる電流もごく微弱で済み、乾電池であっても十分に長い使用期間を保証することができる。またヒータ１２６による本体部１２０の加熱温度としては、人間の体温程度かそれより若干高い程度でよく、冬場のように室温が低いときに足裏を当てても冷たさを感じない程度の加温ができればよい。
【００８３】
図２０は図１９の実施形態の椅子に対する装着状態の説明図である。図２０において、椅子１０における脚アーム２０の先端上部に図１９の加熱構造を内蔵した足裏指圧具１１８を装着し、コントロールボックス１３２は脚アーム２０の付け根の支柱１６に近い位置にボックス裏面に設けているマジックテープ（Ｒ）あるいは両面粘着テープなどで固定すればよい。
【００８４】
なお本発明で椅子に装着する足裏指圧具の形状は、足裏の指圧に適する形状であれば、上記の実施形態に限定されず、適宜の形状を取ることができる。また足裏指圧具の椅子の脚アーム先端上部に対する取付けまたは形成についても、上記の実施形態に限定されず、適宜の構造を取ることができる。
【００８５】
更に上記の実施形態にあっては、足裏指圧具の材質として金属製、合成樹脂製、金属と合成樹脂の複合構造を例に取るものであったが、これらの構造についても上記の実施形態により限定は受けず、適宜の材料を使用することができる。
【００８６】
更に本発明は上記の実施形態に限定されず、その目的と利点を損なうことのない適宜の変形を含む。例えば椅子であっても、事務用の椅子もしくは放射状の脚アームの付いた椅子に限定されず、座った状態で椅子もしくは周辺の固定配置されている備品に足裏を位置できる部位に本発明の足裏指圧具を装着できるような形態であってもよい。
【００８７】
具体的には、列車の横置きの座席において、前の座席の下部に引出し自在に装着されている足を乗せる足乗せプレートに、本発明で使用している足裏指圧具を装着するような使い方も可能である。
【００８８】
更に、本発明の足裏指圧具の他の実施形態として、バイブレータ構造を組込むようにしても良い。この場合、足裏指圧具に組込んだバイブレータは図１９のヒータ内蔵型と同様にコントロールボックスからの電源供給で作動させる。
【００８９】
更に、本発明の他の実施形態として、足裏指圧具にマグネットを設け、磁力を足裏に作用させるようにしてもよい。この場合、足裏指圧具が磁性材料で作られている場合は、足裏指圧具そのものを磁化させる。また足裏指圧具が非磁性材料で作られている場合は、粒状に形成したマグネットを足裏指圧具の先端球部に埋め込み設置する。
【００９０】
【発明の効果】
以上説明してきたように本発明によれば、複数のアームを放射状に配置したキャスター付き脚のアーム先端上部に足裏指圧具を装着したことで、仕事中などの椅子に座った状態において肩こりや脚のむくみなどを感じた場合には、自分の座っている椅子の脚に装着されている足裏指圧具に足裏を乗せるだけで簡単に足裏を指圧することができる。
【００９１】
特に、椅子の脚の脚アーム先端上部に装着された足裏指圧具に足を乗せると、これによって太ももの座席に当たっている部分が浮き上がり、足の重さが自然に足裏指圧具に対する押し当て力として加わり、意識的に足裏を足裏指圧具に押し付ける必要がなく、自然に加わる脚の体重により理想に近い足裏の指圧状態が得られ、利用者は足裏のツボに関する簡単な知識があれば、適切な足裏の位置を足裏指圧具に乗せることで効果的な指圧を行うことができる。
【図面の簡単な説明】
【図１】椅子の脚アームに足裏指圧具を装着した本発明の実施形態を示した説明図
【図２】先端球部の曲率を大きくした本発明で使用する足裏指圧具の説明図
【図３】椅子の足裏指圧具に足を乗せた本発明による椅子の使用状態の説明図
【図４】脚アームに別の形状の足裏指圧具を装着した本発明による椅子の実施形態を示した説明図
【図５】図４の実施形態で使用する先端球部の曲率を小さくした足裏指圧具の説明図
【図６】脚アームの全てに足裏指圧具を装着した本発明による椅子の実施形態の説明図
【図７】脚アームの１つにのみ足裏指圧具を装着した本発明による椅子の実施形態の説明図
【図８】図２の高さの異なる３種類の足裏指圧具を脚アームに装着した本発明による椅子の実施形態の説明図
【図９】形状の異なる足裏指圧具を脚アームに装着した本発明による椅子の実施形態の説明図
【図１０】本発明による椅子の脚アームに対する足裏指圧具の固定構造の説明図
【図１１】本発明による椅子の脚アームに対するバンドによる足裏指圧具の固定構造の説明図
【図１２】脚アームと一体に足裏指圧具を形成した本発明の実施形態の説明図
【図１３】脚アームのカバーと一体に足裏指圧具を形成した本発明の実施形態の説明図
【図１４】合成樹脂を使用した本発明の足裏指圧具の説明図
【図１５】脚固定部に対し着脱自在な複数種類の本体部を選択的に組み合わせる本発明の足裏指圧具の説明図
【図１６】球形本体を用いた本発明による足裏指圧具の説明図
【図１７】回転自在な球形本体を備えた本発明による足裏指圧具の説明図
【図１８】本体部が脚固定部に対し内蔵スプリングに抗して弾発的に押し込み自在な本発明による足裏指圧具の説明図
【図１９】加熱構造を備えた本発明による足裏指圧具とそのコンロトールボックスの説明図
【図２０】図１９の足裏指圧具とそのコントロールボックスを装着した本発明による椅子の実施形態の説明図
【符号の説明】
１０：椅子
１２：座席
１４：バックレスト
１６：支柱
１８：脚
２０：脚アーム
２４：キャスタ
２６，２６Ａ〜２６Ｃ，４０Ａ〜４０Ｃ，６２，６６，９４Ａ，９４Ｂ，１００，１１０，１１８：足裏指圧具
２８：利用者
３０：隙間
３２：足
３４ａ〜３４ｃ，４２ａ〜４２ｃ，６８，７２，７８，８０，１１２，１２０：本体部
３６ａ〜３６ｃ，４４ａ〜４４ｃ：先端球部
３８，３８ａ〜３８ｃ，４６ａ〜４６ｃ，７０，７４，８６，９２，９８ａ，９８ｂ，１０４，１０８，１１６，１２２：固定ねじ（固定部）
４５ａ〜４５ｃ：フランジ
４８：ねじ穴
５０：通し穴
５２：ナット
５４：カシメ部
５６：固定軸
５８：溶接部
６０：バンド
６４：脚カバー
７６：コーティング層
８２，８４：取付ねじ穴
８８：フランジ
９０：本体取付ねじ
９６ａ，９６ｂ，１０２：球形本体部
１０４：球状軸受部
１０６：抜け止
１１８：スプリング
１２４：オイル室
１２６：ヒータ
１２８：絶縁シール
１３０：コネクタ
１３２：コントロールボックス
１３４：スイッチ
【図１】
2004180809.tif 000003
【図２】
2004180809.tif 000004
【図３】
2004180809.tif 000005
【図４】
2004180809.tif 000006
【図５】
2004180809.tif 000007
【図６】
2004180809.tif 000008
【図７】
2004180809.tif 000009
【図８】
2004180809.tif 000010
【図９】
2004180809.tif 000011
【図１０】
2004180809.tif 000012
【図１１】
2004180809.tif 000013
【図１２】
2004180809.tif 000014
【図１３】
2004180809.tif 000015
【図１４】
2004180809.tif 000016
【図１５】
2004180809.tif 000017
【図１６】
2004180809.tif 000018
【図１７】
2004180809.tif 000019
【図１８】
2004180809.tif 000020
【図１９】
2004180809.tif 000021
【図２０】
2004180809.tif 000022